(57)【要約】      （修正有）【課題】車両の車線変更が容易なタイミングが検出されると、車両が走行している路線から外れるための道路の方向の案内を出力する情報処理装置、情報処理方法及びプログラムを提供する。【解決手段】情報処理装置において、検出部は、自車両の車線変更が容易なタイミングを検出する。検出部は、例えば、自車両が高速道路に入る際及び自車両が複数の高速道路を接続するジャンクションを通過する際を、当該タイミングとして検出する。制御部は、検出部により自車両の車線変更が容易なタイミングが検出されると、自車両が走行している路線から外れるための道路の方向をナビゲーション（案内）するための音声または表示画面を出力部に出力させる。【選択図】図３
2019168409.tif 000002
【特許請求の範囲】
【請求項１】
車両の車線変更が容易なタイミングが検出されると、前記車両が走行している路線から外れるための道路の方向の案内を出力させる制御部を有する情報処理装置。
【請求項２】
前記タイミングは、前記車両が高速道路に入る際、及び前記車両が複数の高速道路を接続するジャンクションを通過する際の少なくとも一つを含む、
請求項１に記載の情報処理装置。
【請求項３】
前記車両が走行している路線から外れるための道路は、インターチェンジの出口への道路、サービスエリアへの道路、パーキングエリアへの道路、及び他の高速道路の路線への道路の少なくとも一つを含む、
請求項１または２に記載の情報処理装置。
【請求項４】
前記制御部は、複数の高速道路を接続するジャンクションを前記車両が通過する際に、
前記車両が走行している車線が目的地までの経路を走行するための車線に含まれていない場合、前記車両が走行している車線に対して他の路線からの合流がある場合、及び前記車両が走行している車線が他の路線に合流する場合の少なくとも一つの場合に、前記車両が走行している路線から外れるための道路の方向の案内を出力させる、
請求項１乃至３のいずれか一項に記載の情報処理装置。
【請求項５】
前記制御部は、前記車両が走行している道路の交通量、及び当該道路を走行している車両の速度の少なくとも一つに基づいて、前記タイミングを検出する、
請求項１乃至４のいずれか一項に記載の情報処理装置。
【請求項６】
前記制御部は、前記車両が走行している路線から外れるための道路の方向に対する最寄りの車線の交通量、及び当該車線を走行している車両の速度の少なくとも一つに基づいて、前記タイミングを検出する、
請求項１乃至５のいずれか一項に記載の情報処理装置。
【請求項７】
前記制御部は、前記車両と、前記車両が走行している路線から外れるための道路の方向に対する最寄りの車線を走行している他の車両との距離と、前記車両または前記他の車両の速度との少なくとも一つに基づいて、前記タイミングを検出する、
請求項１乃至６のいずれか一項に記載の情報処理装置。
【請求項８】
前記制御部は、前記車両が走行している車線が、前記車両が走行している路線から外れるための道路に対する最寄りの車線でない場合、前記車両が走行している路線から外れるための道路の方向の案内を出力させる、
請求項１乃至７のいずれか一項に記載の情報処理装置。
【請求項９】
情報処理装置が、
車両の車線変更が容易なタイミングが検出されると、前記車両が走行している路線から外れるための道路の方向の案内を出力させる処理を実行する情報処理方法。
【請求項１０】
情報処理装置に、
車両の車線変更が容易なタイミングが検出されると、前記車両が走行している路線から外れるための道路の方向の案内を出力させる処理を実行させるプログラム。
【発明の詳細な説明】
【技術分野】
【０００１】
本発明は、情報処理装置、情報処理方法、及びプログラムに関する。
【背景技術】
【０００２】
従来、車両の現在位置、及び目的地への経路案内を行うナビゲーション装置において、交差点等から所定の距離だけ手前の地点に到達した際に、当該交差点等を右折するか左折するかを音声等で案内する技術が知られている（例えば、特許文献１を参照）。
【先行技術文献】
【特許文献】
【０００３】
【特許文献１】特開２００７−１２７４１８号公報
【発明の概要】
【発明が解決しようとする課題】
【０００４】
しかしながら、従来技術では、車線変更先の車線を走行している車両の間隔が比較的近い場合等において、案内されてから車線変更しようとしても間に合わない場合があるという問題がある。
【０００５】
そこで、一側面では、より適切に案内を行うことができる技術を提供することを目的とする。
【課題を解決するための手段】
【０００６】
一つの案では、情報処理装置において、車両の車線変更が容易なタイミングが検出されると、前記車両が走行している路線から外れるための道路の方向の案内を出力させる制御部を有する。
【発明の効果】
【０００７】
一側面によれば、より適切に案内を行うことができる。
【図面の簡単な説明】
【０００８】
【図１】実施形態に係る情報処理装置のハードウェア構成例を示す図である。
【図２】実施形態に係る情報処理装置の機能ブロックの一例を示す図である。
【図３】実施形態に係る情報処理装置のナビゲーション処理の一例を示すフローチャートである。
【図４Ａ】地図データの一例を示す図である。
【図４Ｂ】道路の接続について説明する図である。
【図５】地図データの一例を示す図である。
【図６Ａ】実施形態に係るタイミング検知処理の一例を示すフローチャートである。
【図６Ｂ】実施形態に係るタイミング検知処理の一例を示すフローチャートである。
【図７】実施形態に係る情報処理装置のナビゲーション処理の一例を示すフローチャートである。
【発明を実施するための形態】
【０００９】
以下、図面に基づいて本発明の実施形態を説明する。
【００１０】
＜ハードウェア構成＞
図１は、実施形態に係る情報処理装置１０のハードウェア構成例を示す図である。情報処理装置１０は、サーバコンピュータ、スマートフォン、車載ナビゲーション装置、パーソナルコンピュータ、タブレット端末等の情報処理装置である。情報処理装置１０がスマートフォンまたは車載ナビゲーション装置等である場合、サーバ等と通信してナビゲーションを行うようにしてもよいし、サーバ等と通信せずに（スタンドアローンで）ナビゲーションを行うようにしてもよい。
【００１１】
図１の情報処理装置１０は、それぞれバスＢで相互に接続されているドライブ装置１００、補助記憶装置１０２、メモリ装置１０３、ＣＰＵ１０４、インタフェース装置１０５、表示装置１０６、及び入力装置１０７等を有する。
【００１２】
情報処理装置１０での処理を実現するナビゲーションプログラムは、記録媒体１０１によって提供される。ナビゲーションプログラムを記録した記録媒体１０１がドライブ装置１００にセットされると、ナビゲーションプログラムが記録媒体１０１からドライブ装置１００を介して補助記憶装置１０２にインストールされる。但し、ナビゲーションプログラムのインストールは必ずしも記録媒体１０１より行う必要はなく、ネットワークを介して他のコンピュータよりダウンロードするようにしてもよい。補助記憶装置１０２は、インストールされたナビゲーションプログラムを格納すると共に、必要なファイルやデータ等を格納する。
【００１３】
メモリ装置１０３は、プログラムの起動指示があった場合に、補助記憶装置１０２からプログラムを読み出して格納する。ＣＰＵ（Central Processing Unit）１０４は、メモリ装置１０３に格納されたプログラムに従って情報処理装置１０に係る機能を実現する。インタフェース装置１０５は、ネットワークに接続するためのインタフェースとして用いられる。表示装置１０６はプログラムによるＧＵＩ（Graphical User Interface）等を表示する。入力装置１０７はキーボード及びマウス等、またはタッチパネル及びボタン等で構成され、様々な操作指示を入力させるために用いられる。
【００１４】
なお、記録媒体１０１の一例としては、ＣＤ−ＲＯＭ、ＤＶＤディスク、又はＵＳＢ（Universal Serial Bus）メモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００１５】
＜機能構成＞
次に、図２を参照し、実施形態に係る情報処理装置１０の機能構成について説明する。図２は、実施形態に係る情報処理装置１０の機能ブロックの一例を示す図である。情報処理装置１０は、記憶部１１を有する。記憶部１１は、例えば、補助記憶装置１０２等を用いて実現される。記憶部１１は、地図データ１１１等を記憶する。地図データ１１１については後述する。
【００１６】
また、情報処理装置１０は、受付部１２、検出部１３、制御部１４、及び出力部１５を有する。これら各部は、情報処理装置１０にインストールされた１以上のプログラムが、情報処理装置１０のＣＰＵ１０４に実行させる処理により実現される。以下で、情報処理装置１０がナビゲーションを行う対象とする車両のことを、「自車両」と称する。情報処理装置１０がサーバ、クライアントシステムにおけるクライアントである場合、及び情報処理装置１０がスタンドアローンの装置である場合、自車両は、情報処理装置１０が搭載乃至持ち込みされている車両である。情報処理装置１０がサーバ、クライアントシステムにおけるサーバである場合、自車両は、当該クライアントが搭載乃至持ち込みされている車両である。また、自車両以外の車両を「他の車両」と称する。
【００１７】
受付部１２は、ユーザからの各種の操作を受け付ける。受付部１２は、例えば、現在値等から目的地までの経路を検索するための操作を受け付ける。
【００１８】
検出部１３は、自車両の車線変更が容易なタイミングを検出する。検出部１３は、例えば、自車両が高速道路に入る際、及び自車両が複数の高速道路を接続するジャンクションを通過する際を、当該タイミングとして検出する。
【００１９】
制御部１４は、自車両のユーザ（搭乗者）に対する経路案内、及び現在位置の表示等のナビゲーションを行う。また、制御部１４は、検出部１３により自車両の車線変更が容易なタイミングが検出されると、自車両が走行している路線から外れるための道路の方向をナビゲーション（案内）するための音声または表示画面を出力部１５に出力させる。
【００２０】
出力部１５は、制御部１４の指示に従い、ナビゲーションのための情報をスピーカから音声で出力させる、またはナビゲーションのための情報を画面に表示させる。
【００２１】
＜処理＞
次に、図３乃至図５を参照して、情報処理装置１０のナビゲーション処理の一例について説明する。図３は、実施形態に係る情報処理装置１０のナビゲーション処理の一例を示すフローチャートである。図４Ａは、地図データ１１１の一例を示す図である。図４Ｂは、道路の接続について説明する図である。図５は、地図データ１１１の一例を示す図である。
【００２２】
ステップＳ１において、検出部１３は、自車両の車線変更が容易なタイミングであることを検知する。ここで、検出部１３は、例えば、自車両が、高速道路に入る際、及びジャンクションを通過する際を、自車両の車線変更が容易なタイミングと判定してもよい。この場合、検出部１３は、ＧＰＳ（Global Positioning System）等により自車両の現在の位置情報を取得し、地図データ１１１に記憶されている高速道路の入り口の料金所の位置、及びジャンクションの位置を自車両が通過する前後の所定のタイミングを、当該タイミングとしてもよい。なお、ジャンクションとは、複数の高速道路を接続する施設のことである。
【００２３】
また、検出部１３は、例えば、自車両が、サービスエリアから出た場合、及びパーキングエリアから出た場合に、自車両の車線変更が容易なタイミングであると判定してもよい。この場合、検出部１３は、サービスエリア等の位置から高速道路の車線の位置に自車両が移動した際を、当該タイミングとしてもよい。なお、サービスエリアとは、例えば、高速道路に併設される休憩施設のことである。また、パーキングエリアとは、高速道路に併設される比較的小規模な休憩施設のことである。
【００２４】
続いて、制御部１４は、地図データ１１１を参照し、自車両が走行する本線（本線道路、路線）に対するインターチェンジの出口等の方向を判定する（ステップＳ２）。なお、インターチェンジとは、例えば、一般道路と高速道路を接続する施設のことである。図４Ａは、地図データ１１１の一例を示す図である。図４Ａの例では、地図データ１１１は、ノードＩＤに対応付けて、位置、ノード種別、ノード属性、名称、接続リンクＩＤ、及び本線からの脱出方向等のデータが記憶されている。ノードＩＤは、交差点、及び道路網表現上の結節点などを示すノードの識別情報である。位置は、当該ノードの緯度、及び経度等の位置である。ノード種別は、ジャンクション、インターチェンジ、料金所、サービスエリア、パーキング等の当該ノードの種別である。ノード属性は、合流または分岐等の属性を示す情報である。名称は、ナビゲーション画面等に表示するための当該ノードの名称である。接続リンクＩＤは、当該ノードが接続する、当該ノードと道路が接続する他のノードとの間の道路（リンク）の識別情報である。
【００２５】
本線からの脱出方向は、車両が走行している路線から外れるための道路の方向（本線に対する出口等の方向）である。本線からの脱出方向は、例えば、当該他のノードと当該ノードとの間の道路（リンク）を含む本線の方向に対する、インターチェンジ出口、サービスエリア入口、及びパーキング入口等への道路（ランプ）の方向である。例えば、インターチェンジ出口等に進行するために、本線から右に分岐する道路を通る場合は、本線からの脱出方向は「右」である。
【００２６】
図４Ａの例では、ノードＩＤが「００２」のノードにおける脱出方向は「右」であることが示されている。図４Ｂには、図４Ａの地図データ１１１における道路の接続の態様が示されている。図４Ｂのノード４０１乃至ノード４０４は、それぞれ、図４ＡのノードＩＤが「００１」乃至「００４」のノードである。ノードＩＤが「００１」のノード４０１に接続するリンク４１１乃至リンク４１３は、それぞれ、図４ＡのリンクＩＤが「ＡＡＡ」、「１００」、「２００」のリンクである。また、ノードＩＤが「００３」のノード４０３に接続するリンク４１４及びリンク４１５は、それぞれ、図４ＡのリンクＩＤが「３００」、及び「ＢＢＢ」のリンクである。また、ノードＩＤが「００４」のノード４０４に接続するリンク４１６乃至リンク４１８は、それぞれ、図４ＡのリンクＩＤが「４００」、「５００」、及び「６００」のリンクである。リンク４１２、リンク４１３、リンク４１６、及びリンク４１８は高速道路の本線であり、リンク４１４は、高速道路の本線からインターチェンジ出口に設けられた料金所への道路である。
【００２７】
＜地図データ１１１の変形例＞
図５は、地図データ１１１の一例を示す図である。図５の例では、地図データ１１１は、接続ノードＩＤ、及び接続リンクＩＤに対応付けて、本線からの脱出方向等のデータが記憶されている。接続ノードＩＤは、ノード間のリンクの始点のノードＩＤである。接続リンクＩＤは、接続ノードＩＤに係るノードが接続しているリンクのＩＤである。図５の例では、接続ノードＩＤが「００２」のノードからリンクＩＤが「３００」のリンクに進行する場合の脱出方向が「右」であることが示されている。
【００２８】
続いて、制御部１４は、本線に対する出口等の方向を出力部１５により案内し（ステップＳ３）、処理を終了する。ここで、受付部１２は、ユーザの操作等により目的地の設定を予め受け付けておく。そして、制御部１４は、当該目的地までの経路におけるインターチェンジの出口等について、「出口はＢインターチェンジ、右側（右方向）です。」等のメッセージを音声、または表示により出力させてもよい。また、目的地が設定されていないフリー走行の場合は、制御部１４は、走行している経路の先のインターチェンジの出口等についての案内を出力させてもよい。また、制御部１４は、インターチェンジの出口に限らず、本線の高速道路からサービスエリア、及びパーキングエリア等に入るための道路、自車両が走行している本線から他の高速道路の本線へ連絡する道路（ランプ）等の本線に対する方向についての案内を出力させてもよい。
【００２９】
≪ジャンクション通過時のタイミング検知処理≫
次に、図６Ａ及び図６Ｂを参照し、図３のステップＳ１におけるタイミング検知処理の一例について説明する。図６Ａは、実施形態に係るタイミング検知処理の一例を示すフローチャートである。図３のステップＳ１において、ジャンクションの位置を自車両が通過する際を、当該タイミングとする場合、以下のような処理を行うようにしてもよい。
【００３０】
ステップＳ１０１において、検出部１３は、自車両がジャンクションを通過することを検知する。続いて、検出部１３は、自車両が走行している車線（レーン）を判定する（ステップＳ１０２）。ここで、検出部１３は、ＧＰＳの位置情報、道路に埋設されたレーンマーカから自車両の車載センサで検出された位置情報、及び車載カメラの画像から認識した白線等のデータに基づき、自車両の走行している車線を判定してもよい。または、検出部１３は、他の公知の方法を用いて、自車両の走行している車線を判定してもよい。
【００３１】
続いて、検出部１３は、自車両が走行している車線が、目的地までの経路を走行するための車線に含まれているか否かを判定する（ステップＳ１０３）。なお、当該目的地は、ユーザの操作等により予め設定されているものとする。
【００３２】
ここで、例えば、片側４車線の道路における第一走行車線、及び第一走行車線の隣の車線である第二走行車線が、当該ジャンクションにおいて、左方向に分岐した道路に繋がっているとする。また、第二走行車線の隣の車線である第三走行車線、及び追い越し車線が、右方向に分岐した道路に繋がっているとする。また、自車両が走行している車線が、第一走行車線、または第二走行車線であり、目的地までの経路が、当該ジャンクションにおいて、右方向に分岐した道路を通る経路であるとする。この場合、目的地までの経路を走行するための車線は、第三走行車線、及び追い越し車線であるため、検出部１３は、自車両が走行している車線が、目的地までの経路を走行するための車線に含まれていないと判定する。
【００３３】
自車両が走行している車線が、目的地までの経路を走行するための車線に含まれている場合（ステップＳ１０３でＹＥＳ）、処理を終了する。一方、自車両が走行している車線が、目的地までの経路を走行するための車線に含まれていない場合（ステップＳ１０３でＮＯ）、検出部１３は、自車両の車線変更が容易なタイミングであると判定し（ステップＳ１０４）、処理を終了する。これにより、自車両が車線変更をせずにジャンクションを通過する場合は、自車両が走行する本線に対する出口等の方向の案内をしないようにすることができる。
【００３４】
また、検出部１３は、ジャンクションを通過することを検知した際、地図データ１１１に記憶されている当該ジャンクションに対して合流するノードのデータを参照し、自車両が走行している車線に対して他の路線からの合流がある場合、及び自車両が走行している車線が他の路線に合流する場合も、自車両の車線変更が容易なタイミングであると判定してもよい。これにより、例えば、合流のために自車両を加速させる、または合流のために自車両を車線変更する場合は、出口等の方向に近づくための車線変更も合わせて行うことが比較的容易であると考えられるためである。
【００３５】
図６Ｂは、実施形態に係るタイミング検知処理の一例を示すフローチャートである。図６ＢのステップＳ１１１、ステップＳ１１３乃至ステップＳ１１５は、図６ＡのステップＳ１０１乃至ステップＳ１０４の処理とそれぞれ同様である。
【００３６】
ステップＳ１１１において、検出部１３は、自車両がジャンクションを通過することを検知する。続いて、検出部１３は、当該ジャンクションと本線に対する出口等との間の距離が所定値以下であるか否かを判定する（ステップＳ１１２）。所定値以下でない場合（ステップＳ１１２でＮＯ）、ステップＳ１１３の処理に進む。一方、所定値以下である場合（ステップＳ１１２でＹＥＳ）、処理を終了する。これは、例えば、自車両のユーザは、当該ジャンクションよりも手前のジャンクションを通過した際の案内に従って、当該ジャンクションにおける路線乃至車線を変更していると考えられるためである。すなわち、例えば、当該ジャンクションから所定距離以内に出口等がある場合、当該ジャンクションにおいて右方面等の路線へ移動した際に、さらに右側等の車線に変更する必要性は低いと考えられるためである。
【００３７】
≪変形例≫
制御部１４は、車線変更しないと出口等の方向に進行できない場合に、自車両の車線変更が容易なタイミングで出口等の方向を案内させるようにしてもよい。この場合、制御部１４は、車線変更せずに出口等の方向に進行できる場合は、従来と同様に、出口等の所定距離（例えば、２ｋｍ）手前でのみ出口等の方向を案内させるようにしてもよい。
【００３８】
図７を参照し、情報処理装置１０のナビゲーション処理の一例について説明する。図７は、実施形態に係る情報処理装置１０のナビゲーション処理の一例を示すフローチャートである。
【００３９】
ステップＳ２０１において、検出部１３は、自車両の車線変更が容易なタイミングであることを検知する。ここで、検出部１３は、例えば、自車両が走行している道路の交通情報に基づいて、自車両の車線変更が容易なタイミングであることを検知してもよい。検出部１３は、交通情報を、例えば、ＶＩＣＳ（登録商標）（Vehicle Information and Communication System）により取得してもよいし、各車両の現在位置及び車速等のデータを収集するサーバから取得してもよい。
【００４０】
交通情報には、例えば、現在時刻における道路の交通量（混雑度）、及び道路を走行している各車両の平均速度等が含まれてもよい。検出部１３は、例えば、交通量が少ないほど、かつ各車両の平均速度が遅いほど、自車両の車線変更の容易度を示すスコアを高く算出し、算出したスコアが所定の閾値以上である場合に、自車両の車線変更が容易なタイミングであると判定してもよい。
【００４１】
また、検出部１３は、例えば、自車両が走行している道路の各車線の交通情報に基づいて、自車両の車線変更が容易なタイミングであることを検知してもよい。この場合、検出部１３は、本線に対する出口等の方向に対する最寄りの車線等における交通量が少ないほど、かつ当該最寄りの車線等における各車両の平均速度が遅いほど、自車両の車線変更の容易度を示すスコアを高く算出し、算出したスコアが所定の閾値以上である場合に、自車両の車線変更が容易なタイミングであると判定してもよい。
【００４２】
ここで、検出部１３は、例えば、自車両の走行している車線が追い越し車線であり、本線に対する出口等の方向が当該追い越し車線側から分岐する方向である場合、自車両の走行している車線を最寄りの車線であると判定してもよい。また、検出部１３は、例えば、自車両の走行している車線が第一走行車線であり、本線に対する出口等の方向が当該第一走行車線側から分岐する方向である場合、自車両の走行している車線を最寄りの車線であると判定してもよい。
【００４３】
なお、追い越し車線、及び第一走行車線とは、それぞれ、車両の左側通行が義務付けられている場合は、片側に複数車線がある場合の最右端、及び最左端の車線であり、車両の右側通行が義務付けられている場合は、片側に複数車線がある場合の最左端、及び最右端の車線である。また、本線に対する出口等の方向が当該追い越し車線側から分岐する方向は、追い越し車線が最右端の車線であれば本線に対して右側に逸れる方向であり、追い越し車線が最左端の車線であれば本線に対して左側に逸れる方向である。
【００４４】
また、検出部１３は、例えば、自車両が走行している道路の各車線の交通情報に基づいて、自車両の車線変更が容易なタイミングであることを検知してもよい。この場合、検出部１３は、例えば、本線に対する出口等の方向に対する最寄りの車線等における交通量が少ないほど、かつ当該最寄りの車線等における各車両の平均速度が遅いほど、自車両の車線変更の容易度を示すスコアを高く算出し、算出したスコアが所定の閾値以上である場合に、自車両の車線変更が容易なタイミングであると判定してもよい。
【００４５】
また、検出部１３は、例えば、自車両の前方及び後方の少なくとも一方を走行している他の車両を検知するためのステレオカメラ、またはレーダー等のセンサのデータに基づいて、自車両の車線変更が容易なタイミングであることを検知してもよい。この場合、検出部１３は、例えば、自車両と、本線に対する出口等の方向に対する最寄りの車線等を走行している他の車両のうち、自車両に最も距離が近い他の車両との距離が大きいほど、かつ当該他の車両と自車両の速度が遅いほど、自車両の車線変更の容易度を示すスコアを高く算出し、算出したスコアが所定の閾値以上である場合に、自車両の車線変更が容易なタイミングであると判定してもよい。
【００４６】
続いて、検出部１３は、自車両の走行している車線を判定する（ステップＳ２０２）。ここで、上述した図６のステップＳ１０２の処理と同様の処理により、自車両の走行している車線を判定する。
【００４７】
続いて、検出部１３は、自車両の走行している車線が、本線に対する出口等の方向に対する最寄りの車線であるか否かを判定する（ステップＳ２０３）。自車両の走行している車線が最寄りの車線である場合（ステップＳ２０３でＹＥＳ）、処理を終了する。一方、自車両の走行している車線が最寄りの車線でない場合（ステップＳ２０３でＮＯ）、制御部１４は、自車両が走行する本線に対するインターチェンジの出口等の方向を判定し（ステップＳ２０４）、本線に対する出口等の方向を案内し（ステップＳ２０５）、処理を終了する。
【００４８】
＜実施形態のまとめ＞
インターチェンジの出口等の２ｋｍ等手前で、当該出口等が追い越し車線側に設けられていることがナビゲーション装置にて案内された場合、追い越し車線の車間距離が詰まっている等の場合には、当該出口等までの間に車線変更をすることが困難な場合がある。例えば、５ｋｍ等、比較的手前で案内する場合でも、案内がされた時点で車線変更をすることは適切ではない場合もある。
【００４９】
上述した実施形態によれば、車両の車線変更が容易なタイミングが検出されると、前記車両が走行している路線から外れるための道路の方向の案内を出力させる。これにより、より適切に案内を行うことができる。
【００５０】
以上、本発明の実施例について詳述したが、本発明は斯かる特定の実施形態に限定されるものではなく、特許請求の範囲に記載された本発明の要旨の範囲内において、種々の変形・変更が可能である。
【００５１】
例えば、情報処理装置１０の各機能部は、例えば１以上のコンピュータにより構成されるクラウドコンピューティングにより実現されていてもよい。この場合、地図データ１１１は、外部のサーバ等から取得してもよい。情報処理装置１０は、スマートフォン等の端末からの要求に応じて、当該端末を介して経路案内を行うサーバ装置であってもよい。この場合、情報処理装置１０は、端末にて取得された現在の位置情報を、車両の位置情報として用い、案内の音声や表示を端末のスピーカや画面に出力させればよい。また、情報処理装置１０は、車載ナビゲーション装置やスマートフォン等の端末に、プログラムをインストールすることにより実現してもよい。
【符号の説明】
【００５２】
１０  情報処理装置
１１  記憶部
１１１  地図データ
１２  受付部
１３  検出部
１４  制御部
１５  出力部
【図１】
2019168409.tif 000003
【図２】
2019168409.tif 000004
【図３】
2019168409.tif 000005
【図４Ａ】
2019168409.tif 000006
【図４Ｂ】
2019168409.tif 000007
【図５】
2019168409.tif 000008
【図６Ａ】
2019168409.tif 000009
【図６Ｂ】
2019168409.tif 000010
【図７】
2019168409.tif 000011